【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
ＲＦ信号を放射素子に送信するように構成された能動的アンテナ偏波器であって、該能動的アンテナ偏波器は、
ＲＦ入力信号を受信するように構成された分割器であって、該ＲＦ入力信号を第１のＲＦ中間信号および第２のＲＦ中間信号に分割する、分割器と、
該分割器から該第１の中間信号の位相を受信し、調節するように構成された第１のベクトル発生器と、
該第１のベクトル発生器と並列である第２のベクトル発生器であって、該分割器から該第２の中間信号の位相を受信し、調節するように構成されている、第２のベクトル発生器と
を備え、
該第１のベクトル発生器および該第２のベクトル発生器は、並列である第１の象限選択および第２の象限選択と、並列である第１の可変利得増幅器および第２の可変利得増幅器とを個々に備える、能動的アンテナ偏波器。
【請求項２】
前記能動的アンテナ偏波器は、前記第１のベクトル発生器から前記放射素子に、線形偏波を有するＲＦ出力信号を送信するように構成されている、請求項１に記載の能動的アンテナ偏波器。
【請求項３】
前記能動的アンテナ偏波器は、前記第１のベクトル発生器から前記放射素子に、線形偏波を有する差動的にフィードされるＲＦ出力信号を送信するように構成されている、請求項１に記載の能動的アンテナ偏波器。
【請求項４】
前記能動的アンテナ偏波器は、前記第１および第２のベクトル発生器から前記放射素子に、二重線形偏波を有するＲＦ出力信号を送信するように構成されている、請求項１に記載の能動的アンテナ偏波器。
【請求項５】
前記能動的アンテナ偏波器は、前記第１および第２のベクトル発生器から前記放射素子に、二重線形偏波、円形偏波、および楕円形偏波のうちの少なくとも１つを有する差動的にフィードされるＲＦ出力信号を送信するように構成されている、請求項１に記載の能動的アンテナ偏波器。
【請求項６】
放射素子からＲＦ信号を受信するように構成された能動的アンテナ偏波器であって、該能動的アンテナ偏波器は、
並列である第１のベクトル発生器および第２のベクトル発生器であって、該第１のベクトル発生器および該第２のベクトル発生器のうちの少なくとも１つは、該放射素子から少なくとも１つのＲＦ入力信号を受信するように構成されており、該第１のベクトル発生器および該第２のベクトル発生器のうちの該少なくとも１つは、該少なくとも１つのＲＦ入力信号の位相を調節し、少なくとも１つの中間ＲＦ信号を発生させるように構成されており、該第１のベクトル発生器および該第２のベクトル発生器は、並列である第１の象限選択および第２の象限選択と、並列である第１の可変利得増幅器および第２の可変利得増幅器とを個々に備える、第１のベクトル発生器および第２のベクトル発生器と、
該第１のベクトル発生器および該第２のベクトル発生器のうちの該少なくとも１つから、該少なくとも１つの中間ＲＦ信号を受信し、結合するように構成された結合器であって、ＲＦ出力信号を発生させる、結合器と
を備える、能動的アンテナ偏波器。
【請求項７】
前記放射素子から受信された前記少なくとも１つのＲＦ入力信号は、前記第１のベクトル発生器で受信されたＲＦ入力信号であり、該ＲＦ入力信号は、線形偏波を有する、請求項６に記載の能動的アンテナ偏波器。
【請求項８】
前記放射素子から受信された前記少なくとも１つのＲＦ入力信号は、前記第１のベクトル発生器で受信された差動的にフィードされるＲＦ入力信号であり、該ＲＦ入力信号は、線形偏波を有する、請求項６に記載の能動的アンテナ偏波器。
【請求項９】
前記放射素子から受信された前記少なくとも１つのＲＦ入力信号は、前記第１および第２のベクトル発生器で受信されたＲＦ入力信号であり、該ＲＦ入力信号は、二重線形偏波を有する、請求項６に記載の能動的アンテナ偏波器。
【請求項１０】
前記放射素子から受信された前記少なくとも１つのＲＦ入力信号は、前記第１および第２のベクトル発生器で受信された差動的にフィードされるＲＦ入力信号であり、該ＲＦ入力信号は、二重線形偏波、円形偏波、および楕円形偏波のうちの少なくとも１つを有する、請求項６に記載の能動的アンテナ偏波器。
【請求項１１】
多重放射素子送信機回路であって、該多重放射素子送信機回路は、
少なくとも２つの放射素子と個々に通信する少なくとも２つのサブ回路と、
少なくとも１つの入力ビームを分割し、該分割された入力ビームを該少なくとも２つのサブ回路に通信するように構成された分割器のネットワークと
を備え、
該少なくとも２つのサブ回路の各々は、並列である第１の象限選択および第２の象限選択と、並列である第１の可変利得増幅器および第２の可変利得増幅器とを有する少なくとも１つのベクトル発生器を備え、該少なくとも２つのサブ回路の各々は、偏波追跡およびビーム操向を行うように構成されており、該少なくとも２つのサブ回路の各々は、送信のために、該少なくとも２つの放射素子のそれぞれに信号を通信する、多重放射素子送信機回路。
【請求項１２】
前記多重放射素子送信機回路は、単一ビームを送信するように構成されており、前記少なくとも２つのサブ回路は、
前記分割器のネットワークから受信された前記分割された入力ビームを分割するように構成された分割器であって、第１のサブ回路信号および第２のサブ回路信号を発生させる、分割器と、
該第１のサブ回路信号を受信するように構成された第１のベクトル発生器、および該第２のサブ回路信号を受信するように構成された第２のベクトル発生器であって、前記偏波追跡およびビーム操向を行うように構成されている、第１のベクトル発生器および第２のベクトル発生器と
を個々に備える、請求項１１に記載の多重放射素子送信機回路。
【請求項１３】
前記多重放射素子送信機回路は、２つのビームを送信するように構成されており、前記少なくとも２つのサブ回路は、
前記分割器のネットワークから入力信号を個々に受信し、該入力信号上でビーム操向を行うように構成された並列の第１の対のベクトル発生器と、
該第１の対のベクトル発生器から２つの信号を受信し、結合するように構成された結合器であって、結合された出力信号を発生させる、結合器と、
該結合された出力信号を受信し、第１のサブ回路信号および第２のサブ回路信号を発生させるように構成された分割器と、
該第１のサブ回路信号および該第２のサブ回路信号をそれぞれ受信するように構成された並列の第２の対のベクトル発生器であって、偏波追跡を行うように構成されている、第２の対のベクトル発生器と
を個々に備える、請求項１１に記載の多重放射素子送信機回路。
【請求項１４】
多重放射素子受信機回路であって、該多重放射素子受信機回路は、
少なくとも２つの放射素子と個々に通信する少なくとも２つのサブ回路と、
該少なくとも２つのサブ回路から中間信号を受信し、該中間信号を少なくとも１つの出力ビームに結合するように構成された結合器のネットワークと
を備え、
該少なくとも２つのサブ回路の各々は、並列である第１の象限選択および第２の象限選択と、並列である第１の可変利得増幅器および第２の可変利得増幅器とを有する少なくとも１つのベクトル発生器を備え、該少なくとも２つのサブ回路の各々は、該少なくとも２つの放射素子のそれぞれから受信された信号上で偏波追跡およびビーム操向を行うように構成されている、多重放射素子受信機回路。
【請求項１５】
前記多重放射素子受信機回路は、単一ビームを形成するように構成されており、前記少なくとも２つのサブ回路は、
前記少なくとも２つの放射素子のそれぞれから第１の信号を受信するように構成された第１のベクトル発生器、および該の少なくとも２つの放射素子のそれぞれから第２の信号を受信するように構成された第２のベクトル発生器であって、前記偏波追跡およびビーム操向を行うように構成されている、第１のベクトル発生器および第２のベクトル発生器と、
該第１および第２のベクトル発生器からの２つの信号を結合するように構成された結合器であって、前記結合器のネットワークに通信するための結合された出力信号を発生させる、結合器と
を個々に備える、請求項１４に記載の多重放射素子受信機回路。
【請求項１６】
前記多重放射素子受信機回路は、２つのビームを形成するように構成されており、前記少なくとも２つのサブ回路は、
前記少なくとも２つの放射素子のそれぞれから、第１のＲＦ入力信号および第２のＲＦ入力信号を個々に受信するように構成された並列の第１の対のベクトル発生器であって、該第１および第２のＲＦ入力信号上で偏波追跡を行うように構成されている、第１の対のベクトル発生器と、
該第１の対のベクトル発生器から、該第１および第２のＲＦ入力信号を受信し、結合するように構成された結合器であって、結合された出力信号を発生させる、結合器と、
該結合された出力信号を受信し、第１のサブ回路信号および第２のサブ回路信号を発生させるように構成された分割器と、
該第１のサブ回路信号および該第２のサブ回路信号をそれぞれ受信するように構成された並列の第２の対のベクトル発生器であって、ビーム操向を行うように構成されている、第２の対のベクトル発生器と
を個々に備える、請求項１４に記載の多重放射素子受信機回路。
【請求項１７】
多重放射素子送信機回路であって、該多重放射素子送信機回路は、
少なくとも２つの放射素子と個々に通信する少なくとも２つのサブ回路と、
少なくとも１つの入力ビームを分割し、該分割された入力ビームを該少なくとも２つのサブ回路に通信するように構成された分割器のネットワークと
を備え、
該少なくとも２つのサブ回路の各々は、偏波追跡およびビーム操向を行うように構成されており、該少なくとも２つのサブ回路の各々は、送信のために、該少なくとも２つの放射素子のそれぞれに信号を通信し、
該多重放射素子送信機回路は、２つのビームを送信するように構成されており、該少なくとも２つのサブ回路は、
該分割器のネットワークから入力信号を個々に受信し、該入力信号上でビーム操向を行うように構成された並列の第１の対のベクトル発生器と、
該第１の対のベクトル発生器から２つの信号を受信し、結合するように構成された結合器であって、結合された出力信号を発生させる、結合器と、
該結合された出力信号を受信し、第１のサブ回路信号および第２のサブ回路信号を発生させるように構成された分割器と、
該第１のサブ回路信号および該第２のサブ回路信号をそれぞれ受信するように構成された並列の第２の対のベクトル発生器であって、偏波追跡を行うように構成されている、第２の対のベクトル発生器と
を個々に備える、多重放射素子送信機回路。
【請求項１８】
前記結合器は、能動的電力結合器または受動的結合器のうちの１つであり、前記分割器は、能動的分割器または受動的分割器のうちの１つである、請求項１３または１７に記載の多重放射素子送信機回路。
【請求項１９】
多重放射素子受信機回路であって、該多重放射素子受信機回路は、
少なくとも２つの放射素子と個々に通信する少なくとも２つのサブ回路と、
該少なくとも２つのサブ回路から中間信号を受信し、該中間信号を少なくとも１つの出力ビームに結合するように構成された結合器のネットワークと
を備え、
該少なくとも２つのサブ回路の各々は、該少なくとも２つの放射素子のそれぞれから受信された信号上で偏波追跡およびビーム操向を行うように構成されており、
該多重放射素子受信機回路は、２つのビームを形成するように構成されており、該少なくとも２つのサブ回路は、
該少なくとも２つの放射素子のそれぞれから第１のＲＦ入力信号および第２のＲＦ入力信号を個々に受信するように構成された並行の第１の対のベクトル発生器であって、該第１および第２のＲＦ入力信号上で偏波追跡を行うように構成されている、第１の対のベクトル発生器と、
該第１の対のベクトル発生器からの該第１および第２のＲＦ入力信号を受信し、結合するように構成された結合器であって、結合された出力信号を発生させる、結合器と、
該結合された出力信号を受信し、第１のサブ回路信号および第２のサブ回路信号を発生させるように構成された分割器と、
該第１のサブ回路信号および該第２のサブ回路信号をそれぞれ受信するように構成された並列の第２の対のベクトル発生器であって、ビーム操向を行うように構成されている、第２の対のベクトル発生器と
を個々に備える、多重放射素子受信機回路。
【請求項２０】
前記結合器は、能動的電力結合器または受動的結合器のうちの１つであり、前記分割器は、能動的分割器または受動的分割器のうちの１つである、請求項１６または１９に記載の多重放射素子受信機回路。
【請求項２１】
前記分割器は、能動的分割器または受動的分割器のうちの１つである、請求項１に記載の能動的アンテナ偏波器。
【請求項２２】
前記結合器は、能動的電力結合器または受動的結合器のうちの１つである、請求項６に記載の能動的アンテナ偏波器。
【請求項２３】
前記分割器は、能動的分割器または受動的分割器のうちの１つである、請求項１２に記載の多重放射素子送信機回路。
【請求項２４】
前記結合器は、能動的電力結合器または受動的結合器のうちの１つである、請求項１５に記載の多重放射素子受信機回路。
【手続補正２】
【補正対象書類名】明細書
【補正対象項目名】００１９
【補正方法】変更
【補正の内容】
【００１９】
例示的な位相配列アンテナの利点として、システムの容量および柔軟性の向上が挙げられる。さらに、多重周波数帯域にわたって、操作可能なアンテナは、システムの可用性を最適化する。本システムは、モバイル用途、または多重システムが所望される固定位置用途に実装され得る。また、単一アンテナは、多重システムおよび／またはユーザと通信可能であって、容量および可用性の向上を可能にする。
本願明細書は、例えば、以下の項目も提供する。
（項目１）
ＲＦ信号を放射素子に送信するように構成される能動的アンテナ偏波器であって、
ＲＦ入力信号を受信するように構成される能動的分割器であって、該ＲＦ入力信号を第１のＲＦ中間信号および第２のＲＦ中間信号に分割する、能動的分割器と、
該能動的分割器から該第１の中間信号の位相を受信し、調節するように構成される第１のベクトル発生器と、
該第１のベクトル発生器と並列する第２のベクトル発生器であって、該能動的分割器から該第２の中間信号の位相を受信し、調節するように構成される、第２のベクトル発生器と
を備える、能動的アンテナ偏波器。
（項目２）
前記能動的アンテナ偏波器は、前記第１のベクトル発生器から前記放射素子に、線形偏波を伴うＲＦ出力信号を送信するように構成される、項目１に記載の能動的アンテナ偏波器。
（項目３）
前記能動的アンテナ偏波器は、前記第１のベクトル発生器から前記放射素子に、線形偏波を伴う差動的にフィードされるＲＦ出力信号を送信するように構成される、項目１に記載の能動的アンテナ偏波器。
（項目４）
前記能動的アンテナ偏波器は、前記第１および第２のベクトル発生器から前記放射素子に、二重線形偏波を伴うＲＦ出力信号を送信するように構成される、項目１に記載の能動的アンテナ偏波器。
（項目５）
前記能動的アンテナ偏波器は、前記第１および第２のベクトル発生器から前記放射素子に、二重線形偏波、円形偏波、および楕円形偏波のうちの少なくとも１つを伴う、差動的にフィードされるＲＦ出力信号を送信するように構成される、項目１に記載の能動的アンテナ偏波器。
（項目６）
放射素子からＲＦ信号を受信するように構成される能動的アンテナ偏波器であって、
第２のベクトル発生器と並列する第１のベクトル発生器であって、該第１のベクトル発生器および該第２のベクトル発生器のうちの少なくとも１つは、該放射素子から少なくとも１つのＲＦ入力信号を受信するように構成され、
該第１のベクトル発生器および該第２のベクトル発生器のうちの少なくとも１つは、該少なくとも１つのＲＦ入力信号の位相を調節し、少なくとも１つの中間ＲＦ信号を発生させるように構成される、ベクトル発生器と、
該第１のベクトル発生器および該第２のベクトル発生器のうちの少なくとも１つから、該少なくとも１つの中間ＲＦ信号を受信し、結合するように構成される能動的電力結合器であって、ＲＦ出力信号を発生させる、能動的電力結合器と
を備える、能動的アンテナ偏波器。
（項目７）
前記放射素子から受信された前記少なくとも１つのＲＦ入力信号は、前記第１のベクトル発生器で受信された線形偏波を伴うＲＦ入力信号である、項目６に記載の能動的アンテナ偏波器。
（項目８）
前記放射素子から受信された前記少なくとも１つのＲＦ入力信号は、前記第１のベクトル発生器で受信された線形偏波を伴う、差動的にフィードされるＲＦ入力信号である、項目６に記載の能動的アンテナ偏波器。
（項目９）
前記放射素子から受信された前記少なくとも１つのＲＦ入力信号は、前記第１および第２のベクトル発生器において受信された二重線形偏波を伴うＲＦ入力信号である、項目６に記載の能動的アンテナ偏波器。
（項目１０）
前記放射素子から受信された前記少なくとも１つのＲＦ入力信号は、前記第１および第２のベクトル発生器で受信された二重線形偏波、円形偏波、および楕円形偏波のうちの少なくとも１つを伴う、差動的にフィードされるＲＦ入力信号である、項目６に記載の能動的アンテナ偏波器。
（項目１１）
多重放射素子送信機回路であって、
少なくとも２つの放射素子と個々に通信する少なくとも２つのサブ回路と、
少なくとも１つの入力ビームを分割し、該分割された入力ビームを該少なくとも２つのサブ回路に通信するように構成される能動的分割器のネットワークと
を備え、該少なくとも２つのサブ回路の各々は、偏波追跡およびビーム操向を行うように構成され、該少なくとも２つのサブ回路の各々は、送信のために、該それぞれの少なくとも２つの放射素子に信号を通信する、多重放射素子送信機回路。
（項目１２）
前記多重放射素子送信機回路は、単一ビームを送信するように構成され、前記少なくとも２つのサブ回路は、
前記能動的分割器のネットワークから受信された前記分割された入力ビームを分割するように構成される能動的電力分割器であって、第１のサブ回路信号および第２のサブ回路信号を発生させる、能動的電力分割器と、
該第１のサブ回路信号を受信するように構成される第１のベクトル発生器、および該第２のサブ回路信号を受信するように構成される第２のベクトル発生器であって、前記偏波追跡およびビーム操向を行うように構成される、第１のベクトル発生器および第２のベクトル発生器と
を個々に備える、項目１１に記載の多重放射素子送信機回路。
（項目１３）
前記多重放射素子送信機回路は、２つのビームを送信するように構成され、前記少なくとも２つのサブ回路は、
前記能動的分割器のネットワークから入力信号を受信し、該入力信号上でビーム操向を行うように構成される並列の第１の対のベクトル発生器と、
該第１の対のベクトル発生器から２つの信号を受信し、結合するように構成される能動的電力結合器であって、結合された出力信号を発生させる、能動的電力結合器と、
該結合された出力信号を受信し、第１のサブ回路信号および第２のサブ回路信号を発生させるように構成される能動的電力分割器と、
該第１のサブ回路信号および該第２のサブ回路信号をそれぞれ受信するように構成される並列の第２の対のベクトル発生器であって、偏波追跡を行うように構成される、第２の対のベクトル発生器と
を個々に備える、項目１１に記載の多重放射素子送信機回路。
（項目１４）
多重放射素子受信機回路であって、
少なくとも２つの放射素子と個々に通信する少なくとも２つのサブ回路と、
該少なくとも２つのサブ回路から中間信号を受信し、該中間信号を少なくとも１つの出力ビームに結合するように構成される能動的結合器のネットワークと、
を備え、該少なくとも２つのサブ回路の各々は、少なくとも２つの放射素子から受信された信号上で偏波追跡およびビーム操向を行うように構成される、多重放射素子受信機回路。
（項目１５）
前記多重放射素子受信機回路は、単一ビームを形成するように構成され、前記少なくとも２つのサブ回路は、
前記それぞれの少なくとも２つの放射素子から第１の信号を受信するように構成される第１のベクトル発生器、および該それぞれの少なくとも２つの放射素子から第２の信号を受信するように構成される第２のベクトル発生器であって、前記偏波追跡およびビーム操向を行うように構成される、第１のベクトル発生器および第２のベクトル発生器と、
該第１および第２のベクトル発生器からの２つの信号を結合するように構成される能動的電力結合器であって、能動的結合器のネットワークに通信するための結合された出力信号を発生させる、能動的電力結合器と
を個々に備える、項目１４に記載の多重放射素子受信機回路。
（項目１６）
前記多重放射素子受信機回路は、２つのビームを形成するように構成され、前記少なくとも２つのサブ回路は、
前記それぞれの少なくとも２つの放射素子から、第１のＲＦ入力信号および第２のＲＦ入力信号を個々に受信するように構成される並列の第１の対のベクトル発生器であって、該第１および第２のＲＦ入力信号上で偏波追跡を行うように構成される、第１の対のベクトル発生器と、
該第１の対のベクトル発生器から、該第１および第２のＲＦ入力信号を受信し、結合するように構成される能動的電力結合器であって、結合された出力信号を発生させる、能動的電力結合器と、
該結合された出力信号を受信し、第１のサブ回路信号および第２のサブ回路信号を発生させるように構成される能動的電力分割器と、
該第１のサブ回路信号および該第２のサブ回路信号をそれぞれ受信するように構成される並列の第２の対のベクトル発生器であって、ビーム操向を行うように構成される、第２の対のベクトル発生器と
を個々に備える、項目１４に記載の多重放射素子受信機回路。